【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
折りたたみ式の羽根の風力タービン（１００）のためのロータユニット（１）であって、
前記タービンは、開いている位置と折りたたまれている位置との間を互いに関して回転可能な少なくとも二つの羽根（２０）を備え、前記開いている位置では、前記少なくとも二つの羽根（２０）は、ロータ本体（２）にロータ軸（Ｒ）に対する回転をもたらすように風によって影響を及ぼされ得るようにするために、互いに角度的に間隔を開けて構成され、前記折りたたまれている位置では、前記少なくとも二つの羽根（２０）は、互いに角度的に近くに構成され、
前記ロータユニットは、
前記ロータ軸（Ｒ）について回転するように構成されたロータ本体（２）であって、前記ロータ軸（Ｒ）に対する前記ロータ本体の回転によって電気エネルギを発生させるために発電機（６０）に接続可能なロータ本体（２）と、
前記ロータ本体（２）に接続された少なくとも二つの羽根折りたたみ構造（４）であって、それぞれが前記少なくとも二つの羽根（２０）の各羽根（２０）の端部を前記少なくとも二つの羽根折りたたみ構造（４）に固定するのに適している羽根固定部（１７）を備える、少なくとも二つの羽根折りたたみ構造（４）とを備え、
前記少なくとも二つの羽根折りたたみ構造（４）は、単一のヒンジ軸（Ｐ）に対して互いに枢動可能に接続される、
ロータユニット（１）。
【請求項２】
前記少なくとも二つの羽根折りたたみ構造（４）は、前記単一のヒンジ軸（Ｐ）に対して全て枢動可能に前記ロータ本体（２）に接続される、請求項１に記載のロータユニット。
【請求項３】
前記ヒンジ軸（Ｐ）は、予め定められた傾斜角（ｂ）によって前記ロータ軸（Ｒ）に関して傾けられる、請求項１又は請求項２に記載のロータユニット（１）。
【請求項４】
前記少なくとも二つの羽根（２０）のそれぞれは、羽根伸張のメイン方向に沿って構成された各羽根長手方向軸（Ｇ）を形成し、前記羽根（２０）が前記開いている位置にあるとき、前記羽根（２０）の前記羽根長手方向軸（Ｇ）は、同一点（Ｚ）で前記ロータ軸（Ｒ）と交差する、請求項１から請求項３のいずれか一項に記載のロータユニット。
【請求項５】
前記ヒンジ軸（Ｐ）及び前記ロータ軸（Ｒ）は、前記ヒンジ軸（Ｐ）及び前記ロータ軸（Ｒ）を備える共通ロータ軸平面（Ｌ−Ｌ）形成する、請求項１から請求項４のいずれか一項に記載のロータユニット。
【請求項６】
前記羽根折りたたみ構造（４）が前記折りたたまれている位置にあるとき、前記ロータ軸平面（Ｌ−Ｌ）での前記羽根長手方向軸（Ｇ）の突き出しは、前記ヒンジ軸（Ｐ）に対して予め定められた羽根角（ｆ）を形成する、請求項５に記載のロータユニット。
【請求項７】
前記ヒンジ軸（Ｐ）について互いに対して前記少なくとも二つの羽根折りたたみ構造（４）を回転するように構成された少なくとも一つのアクチュエータ（５）を備える、請求項１から請求項６のいずれか一項に記載のロータユニット。
【請求項８】
それぞれの羽根折りたたみ構造（４）は、各アクチュエータ（５）に関連付けられ、前記各アクチュエータ（５）は、前記ロータ本体（２）に接続された第１の接続部（８）、および前記羽根折りたたみ構造（４）に接続された第２の接続部（９）を有する、請求項１から請求項６のいずれか一項に記載のロータユニット。
【請求項９】
それぞれのアクチュエータ（５）が、前記羽根（２０）を前記折りたたまれている位置から前記開いている位置へと移動させるために前記羽根折りたたみ構造（４）を突出部（７）の近くへ引き寄せることができるように、前記アクチュエータ（５）は、接続された前記突出部（７）を備える、請求項７又は請求項８に記載のロータユニット。
【請求項１０】
前記突出部（７）は、前記突出部（７）が主に沿って広がる突出部軸（Ｘ）を形成し、前記突出部軸（Ｘ）、前記ロータ軸（Ｒ）および前記ヒンジ軸（Ｐ）は全て、前記ロータ軸平面（Ｌ−Ｌ）上に位置する、請求項９に記載のロータユニット。
【請求項１１】
前記羽根折りたたみ構造（４）が前記開いている位置にあるとき、前記ロータ本体（２）に関して前記少なくとも二つの羽根折りたたみ構造（４）をブロック／解放するように適合されたブロック／解放デバイス（２５）を備える、請求項１から請求項１０のいずれか一項に記載のロータユニット。
【請求項１２】
それぞれの羽根折りたたみ構造（４）のために、羽根固定端（２０’）を前記少なくとも二つの羽根折りたたみ構造（４）の各一つに接続するように適合された羽根ジョイント（１５）を備え、前記羽根ジョイント（１５）は、前記羽根長手方向軸（Ｇ）に対して前記羽根（２０）の回転のみを作動するように適合された羽根方向アクチュエータ（２１）を備える、請求項１から請求項１１のいずれか一項に記載のロータユニット。
【請求項１３】
前記少なくとも二つの羽根折りたたみ構造（４）は、二つの羽根（２０）のみのための二つの折りたたみ構造（４）のみである、請求項１から請求項１２のいずれか一項に記載のロータユニット。
【請求項１４】
前記羽根（２０）が前記開いている位置にあるとき、前記羽根長手方向軸（Ｇ）および前記ロータ軸（Ｒ）は、同一の開いている羽根軸平面（Ｗ−Ｗ）に位置し、
前記ロータ軸平面（Ｌ−Ｌ）および前記開いている羽根軸平面（Ｗ−Ｗ）は、互いに直行である、請求項１３に記載のロータユニット（１）。
【請求項１５】
前記ロータ軸（Ｒ）に対して前記ロータ本体（２）の回転に影響を及ぼし、及び／又は停止するように適合されたロータブレーキ（９０）を備える、請求項１から請求項１４のいずれか一項に記載のロータユニット（１）。
【請求項１６】
折りたたみ式の羽根の風力タービン（１００）であって、
請求項１から請求項１５のいずれか一項に記載のロータユニット（１）であって、ロータ軸（Ｒ）に対して回転するように構成されたロータ本体（２）と、前記ロータ本体（２）に接続された少なくとも二つの羽根折りたたみ構造（４）であって、それぞれが前記少なくとも二つの羽根（２０）の各羽根（２０）の端部を前記少なくとも二つの羽根折りたたみ構造（４）に固定するための羽根固定部（１７）を備える、少なくとも二つの羽根折りたたみ構造（４）とを備え、前記少なくとも二つの羽根折りたたみ構造（４）は、単一のヒンジ軸（Ｐ）に対して互いに枢動可能に接続される、ロータユニット（１）と、
前記風力タービンのロータユニット（１）を支持するように適合されたタワー（５０）と、
前記ロータ軸（Ｒ）に対する前記ロータ本体（２）の回転によって電気エネルギを発生させるために前記ロータ本体（２）に接続される発電機（６０）と、
少なくとも二つの羽根（２０）であって、それぞれの羽根は、前記ロータユニット（１）の各羽根折りたたみ構造（４）に接続され、その結果、前記少なくとも二つの羽根（２０）は、開いている位置と折りたたまれている位置との間を互いに回転可能であり、前記開いている位置では、前記少なくとも二つの羽根（２０）は、前記ロータ本体（２）に前記ロータ軸（Ｒ）に対する回転をもたらすように風によって影響を及ぼされ得るようにするために、互いに角度的に間隔を開けて配置され、前記折りたたまれている位置では、前記少なくとも二つの羽根（２０）は、互いに角度的に近くに構成される、少なくとも二つの羽根（２０）とを備える、
折りたたみ式の羽根の風力タービン（１００）。
【請求項１７】
開き／折りたたみ指令信号を受信するための入力を有する制御ユニット（２００）を備え、前記制御ユニット（２００）は、前記指令信号に応じて、
前記ロータブレーキ（９０）と、
前記羽根方向アクチュエータ（２１）と、
前記少なくとも一つのアクチュエータ（５）と、
前記折りたたみブレーキ（１９）と、
前記羽根ブロック／解放デバイス（２５）と、
前記発電機（６０）の、
少なくとも一つを制御するために動作可能なように接続され、適合される、請求項１６に記載の風力タービン（１００）。
【請求項１８】
前記羽根（２０）が、風の作用に耐えるために前記折りたたまれている位置にあるとき、前記羽根（２０）を前記タワー（５０）に固定するように適合された羽根停止デバイス（１２０）を備える、請求項１６又は請求項１７に記載の風力タービン。
【請求項１９】
前記制御ユニット（２００）は、前記羽根停止デバイス（１２０）を作動／停止させるために前記羽根停止デバイス（１２０）と動作可能なように接続される、請求項１８に記載の風力タービン。
【請求項２０】
送電網からの外部電力がない場合、前記羽根（２０）を折りたたむために、および安全対策を実施するために前記ロータユニットの電気装置に供給するように適合された電力供給ニット（３００）を備える、請求項１６から請求項１９のいずれか一項に記載の風力タービン（１００）。